(57)【要約】【課題】アルバムとしても、写真立てとして体裁良く、相互の状態変化を簡単に行え、特に写真立てとしたときの安定性の良いアウバム兼用写真立てを提供する。【解決手段】表板１０と裏板２０を連設部４０により相互に折り曲げ可能に連設し、連設部４０の延伸方向に直交する方向における表板１０のほぼ中央部から連設部４０側に前記延伸方向の折り曲げ部１５を設け、前記直交方向における裏板２０の少なくともほぼ中央部から連設部４０に対抗する端部側に前記延伸方向の折り曲げ部２５を設け、裏板２０内面の折り曲げ部２５から端部に到る部分に写真入れ３０を取付けてなるアルバム兼用写真立てにおいて、表板１０の外側部分の裏面に磁石板５１を、写真入れ３０の下部の裏面に磁性体板５２を設け、接離自在とした。【選択図】  図１
0003173891.tif 000002
【実用新案登録請求の範囲】
【請求項１】
表板と裏板とを連設部により相互に折り曲げ可能に連設し、その連設部の延伸方向に直交する方向における表板の少なくともほぼ中央部から連設部側に前記延伸方向の折り曲げ部を設け、前記直交方向における裏板の少なくともほぼ中央部から連設部に対向する端部側に前記延伸方向の折り曲げ部を設け、裏板内面の前記折り曲げ部から前記端部に到る部分に写真入れを取付けてなるアルバム兼用写真立てにおいて、
前記表板の外側部分の裏面と写真入れ下部の裏面とに、互いに接離自在な接着部材を設けてなることを特徴とするアルバム兼用写真立て。
【請求項２】
前記接着部材は、少なくとも一方は磁石板であり、他方は前記磁石板に接着可能な磁性材あることを特徴とする請求項１記載のアルバム兼用写真立て。
【請求項３】
前記接着部材は、面ファスナであることを特徴とする請求項１記載のアルバム兼用写真立て。
【考案の詳細な説明】
【技術分野】
【０００１】
この考案は、アルバムとしても利用できるアルバム兼用写真立てに関する。
【背景技術】
【０００２】
従来、単純な構造で、コストを抑え、アルバムとしては勿論のこと、写真立てとしても体裁が良く、写真立てとしたときの安定性も良く、しかもアルバムと写真立ての相互の状態変化を簡単に行えるアルバム兼用写真立てとして、図５に示すものが開示され、実施されている（例えば特許文献１参照）。
【０００３】
この図５に示すアルバム兼用写真立ては、表板１０と裏板２０とを連接部４０により相互に折り曲げ可能に連設し、連設部４０の延伸方向に直交する方向における表板１０のほぼ中央部から連接部４０側に前記延伸方向の折り曲げ部１５を設け、前記直交方向における裏板２０のほぼ中央部から連設部４０に対向する端部側に前記延伸方向の折り曲げ部２５を設け、裏板２０内面の折り曲げ部２５から端部に到る部分に写真入れ３０を取付けてなるものである。
【０００４】
このアルバム兼用写真立ては、アルバムとして使用する場合は、通常の見開き本と同様に扱い、表板１０を開けば、裏板２０側の写真入れ３０の写真を見ることができる。
写真立てとして利用する場合は、表板１０と裏板２０を相互に開き、表板１０の折り曲げ部１５から外側部分１２を折り曲げ部１５から内側に折り曲げるとともに、裏板２０の折り曲げ部２５から外側部分２２を折り曲げ部２５から外側に折り曲げる。
【０００５】
すると、写真入れ３０は、裏板２０の外側部分だけに取り付けられているので、写真入れ３０が裏板２０の内面２１に対して浮き上がり、この浮き上がった写真入れ３０の裏側に表板１０の外側部分１２の先端をあてることで、表板１０の折り曲げ部１５から内側部分１１を底面とし、表板１０の外側部分１２を前斜面とし、裏板２０の折り曲げ部２５から内側部分を後斜面とする横断面三角形状の台が形成される。これにより図６に示す写真立て使用状態となる。
【先行技術文献】
【特許文献】
【０００６】
【特許文献１】実用新案登録第３１０３８８４号公報
【考案の概要】
【考案が解決しようとする課題】
【０００７】
上記特許文献１に記載の技術では、簡単な構成で、コストを抑え、アルバムとして、また写真立てとしても体裁良く、また相互の状態変化も簡単に行えるが、表板１０の折り曲げ部１５がａ１：ａ２≒１：２となる位置に裏板２０の折り曲げ部２５がｂ１；ｂ２≒２：１となる位置では写真立てとしての安定性があるものの、この比率ａ１：ａ２、ｂ１：ｂ２につき、ａ１をａ２に近づけるように小さくし、及びｂ１をｂ２に近づけるようにして写真立てを構成すると、写真立てとして使用の継続で，ｂ２側の裏板外側部分２２，写真入れ３０の上部の重みと、写真入れ３０の下部の重みのバランスが不安定になり、図７に示すように写真入れ３０が裏板２０の折り曲げ部２５を支点に揺動し、写真立てとしたときの安定さが損なわれるこことが判明した。
【０００８】
この考案は、上記問題点に着目してなされたものであって、写真立ての裏板に固定される上部の長さの如何にかかわらず、写真立てとしたときの安定さを常に保持し得るアルバム兼用写真立てを提供することを目的とする。
【課題を解決するための手段】
【０００９】
前記目的を達成するために、この考案のアルバム兼用写真立ては、表板と裏板とを連設部により相互に折り曲げ可能に連設し、その連設部の延伸方向に直交する方向における表板の少なくともほぼ中央部から連設部側に前記延伸方向の折り曲げ部を設け、前記直交方向における裏板の少なくともほぼ中央部から連設部に対向する端部側に前記延伸方向の折り曲げ部を設け、裏板内面の前記折り曲げ部から前記端部に到る部分に写真入れを取付けてなるアルバム兼用写真立てにおいて、前記表板の外側部分の裏面と写真入れ下部の裏面とに、互いに接離自在な接着部材を設けてなることを特徴とする。
【００１０】
また、この考案のアルバム兼用写真立てにおいて、前記接着部材は、少なくとも一方は磁石板であり、他方は前記磁石板に接着可能な磁性材であるとしてもよい。
【００１１】
また、この考案のアルバム兼用写真立てにおいて、前記接着部材は、面ファスナであることとしてもよい。
【考案の効果】
【００１２】
この考案によれば、写真立てとして使用する場合に、表板の外側部分の裏面と写真入れの下部の裏面とを接離自在な接着部材で接着するので、写真立ての裏板に固定される上部の長さと写真立ての前記上部以外の下部の長さの如何に拘わらず写真立て下部と表板外側を常に接着により固着しているので、写真立てを、いつも安定に保持することが出来る。
【図面の簡単な説明】
【００１３】
【図１】この考案の一実施形態に係るアルバム兼用写真立ての表板と裏板とを開いた状態の斜視図である。
【図２】同実施形態アルバム兼用写真立ての写真入れを除いた表板と裏板とを開いた状態で表板外側部分の外面が目視可能な状態の斜視図である。
【図３】同実施形態アルバム兼用写真立ての写真入れの背面図である
【図４】同実施形態アルバム兼用写真立てを写真立てとした状態での側面図である。
【図５】従来例に係るアルバム兼用写真立ての表板と裏板とを開いた状態の斜視図である。
【図６】同従来例に係るアルバム兼用写真立てを写真立てとした状態の側面図である。
【図７】同従来例に係るアルバム兼用写真立てを写真立てとした場合の不安定状態を説明する側面図である。
【考案を実施するための形態】
【００１４】
以下、実施の形態により、この考案をさらに詳細に説明する。
実施形態に係るアルバム兼用写真立ての表板と裏板とを開いた状態の斜視図を図１に、写真入れを貼り付け前の表板と裏板とを開いた状態で表板外側部分の外面が目視可能な状態の斜視図を図２に、写真入れの背面図を図３に示す。
【００１５】
このアルバム兼用写真立て１は、四角形状の表板１０と同四角形状の裏板２０とを連設部４０により相互に折り曲げ可能に連設し、その連設部４０の延伸方向に直交する方向における表板１０の少なくともほぼ中央部から連設部４０側に前記延伸方向の折り曲げ部１５を設け、同直交方向における裏板２０の少なくともほぼ中央部から連設部４０に対向する端部側に前記延伸方向の折り曲げ部２５を設け、裏板２０内面の折り曲げ部２５から連設部４０に対向する端部に到る部分２２に写真入れ３０を取り付けてなる。
【００１６】
表板１０は、折り曲げ部１５を挟んで、折り曲げ部１５から連設部４０に到る部分（内側部分）１１と、折り曲げ部１５から連設部４０に対向する端部１２ａに到る部分（外側部分）１２とに分かれる。同様に裏板２０は、折り曲げ部２５を挟んで、折り曲げ部２５から連設部４０に到る部分（内側部分）２１と、折り曲げ部２５から連設部４０に対向する端部２２ａに到る部分（外側部分）２２とに分かれる。
【００１７】
写真入れ３０は、長方形状の窓部（開口）３１ａを有する四角形状の外装板３１と、この外装板３１の裏面に窓部３１ａを覆うように取り付けられた同四角形状の背板３２とからなり、全体は裏板２０よりも一回り小さい大きさである。ここでは、写真入れ３０の背板３２が裏板２０の外側部分２２の内面２２ｂに例えば接着剤により固着されることで、写真入れ３０を裏板２０内面に取り付けている。また、背板３２は外装板３１の裏面全体に固着されているのではなく、４辺のうち、１辺寄り部分（例えば左辺寄り部分）だけが外装板３１の裏面に固着され、残りの３辺よりの部分は固着されていない。これにより、外装板３１と背板３２との間に写真を挟み込んで、写真を外装板３１の窓部３１ａに保持することができる。
【００１８】
表板１０の折り曲げ部１５，裏板２０の折り曲げ部２５，表板１０と裏板２０との連設部４０は、いずれも当該部分で薄肉になることで、内外両側に折り曲げることができるようになっている。また連設部４０は、写真入れ３０が分厚いときは、背表紙としても機能することになる。折り曲げ部１５，２５は及び連設部４０は、繰り返しの折り曲げに十分に耐え得るようにしている。
【００１９】
この実施形態における上記した各構成は、従来の例えば引用文献１記載のものと特に変わるところはない。
【００２０】
この実施形態に係るアルバム兼用写真立ての特徴とするところは、表板１０の折り曲げ部１５から連設部４０に対向する端部１２ａに到る外側部分１２の外面１２ｂに、長方形状の磁石板５１を貼り着けるとともに、写真入れ３０の背板３２の外面３２ａに長方形状の磁性体板５２を貼り着けている。この磁性体板５２は、図４に示すように写真立てとして組み立てた場合に、表板１０の外面１２ｂに貼り付けられた磁石板５１に対面する位置で背板３２に貼り着けられている。
【００２１】
なお、ここでは、磁石板５１を表板１０の外面１２ｂに、磁性体板５２を写真立て３０の背板３２の外面３２ａに設けているが、勿論、この逆に、磁石板５１を写真入れ３０の背板３２に、磁性体板５２を表板１０側に設けても良い。
【００２２】
また、ここでは、磁石板５１，磁性体板５２とも、長方形状としているが、形状はこれに限ることなく、長円形状、その他の適宜の形状であっても良い。
【００２３】
また、ここでは、磁石板５１、磁性体板５２とも表板１０，背板３２の表面に貼り付けているが、これに代えて表板１０の外面１２ｂ，背板３２の外面３２ｂに長方形状の凹面部を形成し、この凹面部に永久磁石板５１，磁性体板５２を埋設して、貼り着けるようにし、表板１０の外側部分１２ａの外面１２ｂと、背板３２の外面３２ａが面一で吸着されるようにしても良い。この場合、表板１０の外面１２及び磁石板５１は、薄布あるいは紙などのシールで覆うようにしても良い。
【００２４】
このように構成したアルバム兼用写真立てにおいて、写真立てとして利用する場合は、表板１０と裏板２０を相互に開き、表板１０の外側部分１２を折り曲げ部１５から内側に折り曲げるとともに、裏板２０の外側部分２２を折り曲げ部２５から外側に折り曲げる。すると、写真入れ３０は裏板２０の外側部分２２だけに取付けられているので、写真入れ３０が裏板２０内面に対して浮き上がり、この浮き上がった写真入れ３０の裏側（裏板２０の折り曲げ部２５）に表板１０の外側部分１２の先端を差し入れる。
【００２５】
このようにすることで、表板１０の磁石板５１と、写真入れ３０の背板３２の磁性体板５２が吸接着し、その接着力により、表板１０の内側部分１１を底面とし、表板１０の外側部分１２を前斜面とし、裏板２０の内側部分２１を後ろ斜面とする横断面三角形状の台が形成される（図４参照）。一旦接着されると、表板１０の磁石板５１と写真入れ３０の背板３２の磁性体板５２が吸接着されているので、その後、簡単に、この形状が崩されることはない。
【００２６】
このアルバム兼用写真立てによれば、写真立てとする場合に、表板１０の外面１２ｂと、写真入れ３０の外面３２ｂが磁石板５１と磁性体板５２の吸引力により接着され、一旦接着されると、簡単に離れることがなく、写真入れ３０の裏板２０に固定されている上部の長さと写真入れ３０の前記上部以外の下部の長さの如何にかかわらず、写真入れ３０の下部と表板１０の外側を常に接着により固着しているので、写真立てをいつも安定に保持することができる。
【００２７】
なお、上記実施形態では、写真立てとして使用する場合に、表板の外側部分の裏面と写真入れ下部の裏面とに、互いに接離自在な接着部材として磁石板と磁性体板を使用する場合について説明したが、これに変えて面ファスナーを用いてもよい。
【符号の説明】
【００２８】
１              アルバム兼用写真立て
１０            表板
１１            表板の内側部分
１２            表板の外側部分
１２ａ          表板の外側部分端部
１２ｂ          表板の外側部分外面
１５            表板の折り曲げ部
２０            裏板
２１            裏板の内側部分
２２            裏板の外側部分
２２ａ          裏板の外側部分端部
２２ｂ          裏板の外側部分内面
２５            裏板の折り曲げ部
３０            写真入れ
３１            外装板
３１ａ          窓部
３２            背板
４０            連設部
５１            磁石板
５２            磁性体板
【図１】
0003173891.tif 000003
【図２】
0003173891.tif 000004
【図３】
0003173891.tif 000005
【図４】
0003173891.tif 000006
【図５】
0003173891.tif 000007
【図６】
0003173891.tif 000008
【図７】
0003173891.tif 000009